(57)【要約】【課題】    被結束物に巻き付けるように結束具の長手方向の他端部を指先で摘み、引っ張って結束具を締め付けるが、このとき一端部の貫通穴を通るように細くされた他端部が摘みにくいことで簡便に強く締め付けることが困難である。【解決手段】  結束具（１）の長手方向の一端部（２）に貫通穴（３）、他端部（９）に指を掛けて引っ張る為の指掛穴（１０）を備え、指掛穴（１０）を折り畳んだ状態で貫通穴（３）に通すことが出来るようにする。【選択図】              図１
2013014377.tif 000002
【特許請求の範囲】
【請求項１】
結束具の長手方向の一端部の貫通穴に係止形状と、
前記長手方向の中間部に前記係止形状に係止される被係止形状が前記長手方向に複数並んだ被係止部と、
前記長手方向の他端部に指掛穴と、
を備え、
前記指掛穴は、
前記貫通穴に前記他端部を通すことが可能な折り畳み状態と、
前記指掛穴に指を掛けることが可能な広げた状態と、
を有する、
結束具。
【請求項２】
前記指掛穴は、前記結束具の初期状態で前記広げた状態である、
請求項１に記載の結束具。
【発明の詳細な説明】
【技術分野】
【０００１】
本発明は、結束具に関する。
【背景技術】
【０００２】
結束具においては、特許文献１の実施例のように、長手方向の一端部の貫通穴内側に係止形状、中間部の帯状の平面部に複数の被係止形状が長手方向に並んだ被係止部が設けられ、被結束物に巻き付けて他端部を貫通穴に通して引っ張り、複数の被係止形状に順に係止形状を係止させることで、被結束物の外径に合わせて結束具の内径を調節できるアイデアが知られている。
【０００３】
また、結束具においては、特許文献２の実施例のように、長手方向の一端部の貫通穴の縁が係止形状であり、中間部の帯状の側部に複数の被係止形状が長手方向に並んだ被係止部が設けられ、被結束物に巻き付けて他端部を貫通穴に通して引っ張り、複数の被係止形状に順に係止形状を係止させることで、被結束物の外径に合わせて結束具の内径を調節できるアイデアが知られている。
【先行技術文献】
【特許文献】
【０００４】
【特許文献１】特許第２５１５４８４号公報
【特許文献２】特開平０９−１６５９１６号公報
【発明の概要】
【発明が解決しようとする課題】
【０００５】
結束具においては、被結束物に巻き付けるように結束具の長手方向の一端部の貫通穴に他端部を通してから他端部を指先で摘み引っ張って結束具を締め付けるが、このとき貫通穴を通るように細くされた他端部が摘みにくいことで被結束物を結束具で強く締め付けることが困難である。よって、ペンチ等の工具を用いて他端部を摘み引っ張るという煩雑な作業が必要となってしまう。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る結束具は、例えば図１及び２のように、
結束具１の長手方向の一端部２の貫通穴３に係止形状４と、
前記長手方向の中間部５に係止形状４に係止される被係止形状６（７）が前記長手方向に複数並んだ被係止部８と、
前記長手方向の他端部９に指掛穴１０と、
を備え、
指掛穴１０は、
貫通穴３に他端部９を通すことが可能な図２左図のような折り畳み状態と、
指掛穴１０に指を掛けることが可能な図２右図のような広げた状態と、
を有する、結束具である。
【０００８】
発明２に係る結束具は、発明１の結束具において、
指掛穴１０は、結束具１の初期状態で図１のように前記広げた状態である、結束具である。
【発明の効果】
【０００９】
以上のように本発明では、結束具１の長手方向の他端部９に大きく丈夫な指掛穴１０を備えても一端部２の貫通穴３に他端部９を素早く通すことが出来るので、工具等用いずとも被結束物を結束具１で素早く強く締め付けることが容易となる。
【００１０】
また発明２では、本発明の効果に加えて、図１のように初期状態で広げた状態の指掛穴１０を図２左図のように外力によって折り畳み状態にし、図２右図のように外力から解放したとき弾力性による復元力によって指を素早く指掛穴１０に掛けることが出来るような設計が容易となる。
【図面の簡単な説明】
【００１１】
【図１】第１実施形態の初期状態を第三角法で表した図
【図２】第１実施形態の結束操作を２段階で表した図
【図３】第２実施形態の初期状態を第三角法で表した図
【発明を実施するための形態】
【００１２】
本発明の第１実施形態を図１及び２に基づいて説明する。
【００１３】
結束具１は耐屈曲性に優れた樹脂であるポリアミドの金型一体成形製である。長手方向の一端部２には帯部１３の幅よりも大きな頭部１５があり、頭部１５を帯部１３の厚み方向に貫通する貫通穴３は帯部１３が隙間嵌合するサイズであり内側には爪状の係止形状４があり、係止形状４は結束具１の長手方向の他端部９方向に弾性変形可能であり、均等ピッチで帯部１３の平面部に並んだ被係止形状６及び７等を順に係止形状４が係止し逆戻り不能であり帯部１３は弾性変形し輪状となる。また、係止形状４に係止解除の為の操作レバーを設けて逆戻り可能としても良いだろう。また、結束具１の長手方向の他端部９には帯部１３の厚みを半分にするような切込みを入れて厚み方向に上側１１と下側１２に広げたような輪状部１４が金型一体成形による初期状態で予め形成されており、輪状部１４の内側が指掛穴１０となっている。他端部９を一端部２の貫通穴３に通す際は指先で上側１１と下側１２を摘んで折り畳み、図２左図から右図という順序で通して行く。また、図２右図では係止形状４はまだ被係止部８を係止しておらず、弾力性で形状がほぼ復元した輪状部１４によって仮止めされた状態である。この状態から指掛穴１０に指を掛けて頭部１５から離れる方向に引っ張ることで被結束物を強く締め付けることが出来る。また、指掛穴１０の深さは帯部１３の幅と同じであり掛けた指に十分な面積で接触するので指に加わる圧力が比較的小さく快適な操作が可能である。
【００１４】
本発明の第２実施形態を図３に基づいて説明する。
【００１５】
第２実施形態は、第１実施形態の構造を小変更したものであるので、変更箇所について記載する。
結束具１の長手方向の他端部９には帯部１３の幅を半分にするような切込みを入れて厚み方向に上側１１と下側１２に広げたような輪状部１４が金型一体成形による初期状態で予め形成されており、第１実施形態よりも単純な金型で結束具１を一体成形可能という利点がある。また、指掛穴１０の深さは帯部１３の幅の約半分となる。
【００１６】
本発明のその他の実施形態を説明する。
【００１７】
第１又は第２実施形態の貫通穴３の内側に設けられた係止形状４と帯部１３平面部に設けられた被係止部８による係止構造の代わりに、特許文献２の実施例のように、貫通穴３の縁を係止形状とし帯部１３側部にノコギリ刃状の被係止部を設けて係止構造としても良いだろう。
【符号の説明】
【００１８】
１.                                                    結束具
２.                                                    一端部
３.                                                    貫通穴
４.                                                    係止形状
５.                                                    中間部
６,７.                                               被係止形状
８.                                                     被係止部
９.                                                    他端部
１０.                                                指掛穴
１１.                                                上側
１２.                                                下側
１３.                                                帯部
１４.                                                輪状部
１５.                                                頭部
【図１】
2013014377.tif 000003
【図２】
2013014377.tif 000004
【図３】
2013014377.tif 000005
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
結束具の長手方向の一端部の貫通穴に係止形状と、
前記長手方向の中間部の帯部に前記係止形状に係止される被係止形状が前記長手方向に複数並んだ被係止部と、
前記長手方向の他端部に前記帯部の幅方向に貫通し深さが前記帯部の幅と同様である指掛穴と、
を備え、
前記指掛穴は、
前記指掛穴に指を掛けることが可能な広げた状態と、
前記広げた状態から前記指掛穴を前記帯部の厚み方向につぶして前記貫通穴に前記他端部を通すことが可能な折り畳み状態と、
を有する、
結束具。
【請求項２】
前記指掛穴は、前記他端部に一体成形された輪状部の内側である、
請求項１に記載の結束具。
【手続補正２】
【補正対象書類名】明細書
【補正対象項目名】全文
【補正方法】変更
【補正の内容】
【発明の詳細な説明】
【技術分野】
【０００１】
本発明は、結束具に関する。
【背景技術】
【０００２】
結束具においては、特許文献１の実施例のように、長手方向の一端部の貫通穴内側に係止形状、中間部の帯状の平面部に複数の被係止形状が長手方向に並んだ被係止部が設けられ、被結束物に巻き付けて他端部を貫通穴に通して引っ張り、複数の被係止形状に順に係止形状を係止させることで、被結束物の外径に合わせて結束具の内径を調節できるアイデアが知られている。
【０００３】
また、結束具においては、特許文献２の実施例のように、長手方向の一端部の貫通穴の縁が係止形状であり、中間部の帯状の側部に複数の被係止形状が長手方向に並んだ被係止部が設けられ、被結束物に巻き付けて他端部を貫通穴に通して引っ張り、複数の被係止形状に順に係止形状を係止させることで、被結束物の外径に合わせて結束具の内径を調節できるアイデアが知られている。
【先行技術文献】
【特許文献】
【０００４】
【特許文献１】特許第２５１５４８４号公報
【特許文献２】特開平０９−１６５９１６号公報
【発明の概要】
【発明が解決しようとする課題】
【０００５】
結束具においては、被結束物に巻き付けるように結束具の長手方向の一端部の貫通穴に他端部を通してから他端部を指先で摘み引っ張って結束具を締め付けるが、このとき貫通穴を通るように細くされた他端部が摘みにくいことで被結束物を結束具で強く締め付けることが困難である。よって、ペンチ等の工具を用いて他端部を摘み引っ張るという煩雑な作業が必要となってしまう。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る結束具は、例えば図１及び２のように、
結束具１の長手方向の一端部２の貫通穴３に係止形状４と、
前記長手方向の中間部５の帯部１３に係止形状４に係止される被係止形状６（７）が前記長手方向に複数並んだ被係止部８と、
前記長手方向の他端部９に帯部１３の幅方向に貫通し深さが帯部１３の幅と同様である指掛穴１０と、
を備え、
指掛穴１０は、
指掛穴１０に指を掛けることが可能な図１のような広げた状態と、
前記広げた状態から指掛穴１０を帯部１３の厚み方向につぶして貫通穴３に他端部９を通すことが可能な図２左図のような折り畳み状態と、
を有する、結束具である。
【０００８】
発明２に係る結束具は、発明１の結束具において、
指掛穴１０は、他端部９に一体成形された輪状部１４の内側である、結束具である。
【発明の効果】
【０００９】
以上のように本発明では、結束具１の長手方向の他端部９に大きく丈夫な指掛穴１０を備えても一端部２の貫通穴３に他端部９を素早く通すことが出来るので、工具等用いずとも被結束物を結束具１で素早く強く締め付けることが容易となる。加えて、図１のように初期状態で広げた状態の指掛穴１０を図２左図のように外力によって折り畳み状態にし、図２右図のように外力から解放したとき弾力性による復元力によって指を素早く指掛穴１０に掛けることが出来るような設計が容易となる。
【図面の簡単な説明】
【００１０】
【図１】第１実施形態の初期状態を第三角法で表した図
【図２】第１実施形態の結束操作を２段階で表した図
【発明を実施するための形態】
【００１１】
本発明の第１実施形態を図１及び２に基づいて説明する。
【００１２】
結束具１は耐屈曲性に優れた樹脂であるポリアミドの金型一体成形製である。長手方向の一端部２には帯部１３の幅よりも大きな頭部１５があり、頭部１５を帯部１３の厚み方向に貫通する貫通穴３は帯部１３が隙間嵌合するサイズであり内側には爪状の係止形状４があり、係止形状４は結束具１の長手方向の他端部９方向に弾性変形可能であり、均等ピッチで帯部１３の平面部に並んだ被係止形状６及び７等を順に係止形状４が係止し逆戻り不能であり帯部１３は弾性変形し輪状となる。また、係止形状４に係止解除の為の操作レバーを設けて逆戻り可能としても良いだろう。また、結束具１の長手方向の他端部９には帯部１３の厚みを半分にするような切込みを入れて厚み方向に上側１１と下側１２に広げたような輪状部１４が金型一体成形による初期状態で予め形成されており、輪状部１４の内側が指掛穴１０となっている。他端部９を一端部２の貫通穴３に通す際は指先で上側１１と下側１２を摘んで折り畳み、図２左図から右図という順序で通して行く。また、図２右図では係止形状４はまだ被係止部８を係止しておらず、弾力性で形状がほぼ復元した輪状部１４によって仮止めされた状態である。この状態から指掛穴１０に指を掛けて頭部１５から離れる方向に引っ張ることで被結束物を強く締め付けることが出来る。また、指掛穴１０の深さは帯部１３の幅と同じであり掛けた指に十分な面積で接触するので指に加わる圧力が比較的小さく快適な操作が可能である。
【００１３】
本発明のその他の実施形態を説明する。
【００１４】
第１実施形態の貫通穴３の内側に設けられた係止形状４と帯部１３平面部に設けられた被係止部８による係止構造の代わりに、特許文献２の実施例のように、貫通穴３の縁を係止形状とし帯部１３側部にノコギリ刃状の被係止部を設けて係止構造としても良いだろう。
【符号の説明】
【００１５】
１.                                                    結束具
２.                                                    一端部
３.                                                    貫通穴
４.                                                    係止形状
５.                                                    中間部
６,７.                                               被係止形状
８.                                                    被係止部
９.                                                    他端部
１０.                                                指掛穴
１１.                                                上側
１２.                                                下側
１３.                                                帯部
１４.                                                輪状部
１５.                                                頭部
【手続補正３】
【補正対象書類名】図面
【補正対象項目名】全図
【補正方法】変更
【補正の内容】
【図１】
2013014377.tif 000006
【図２】
2013014377.tif 000007
【手続補正書】
【提出日】平成24年1月21日(2012.1.21)
【手続補正１】
【補正対象書類名】特許請求の範囲
【補正対象項目名】全文
【補正方法】変更
【補正の内容】
【特許請求の範囲】
【請求項１】
結束具の長手方向の一端部の貫通穴に係止形状と、
前記長手方向の中間部の帯部に前記係止形状に係止される被係止形状が前記長手方向に複数並んだ被係止部と、
前記長手方向の他端部に一体成形された輪状部の内側であり前記帯部の幅方向に貫通し深さが前記帯部の幅と同様である指掛穴と、
を備え、
前記指掛穴は、
前記指掛穴に指を掛けることが可能な広げた状態と、
前記広げた状態から前記指掛穴を前記帯部の厚み方向につぶして前記貫通穴に前記他端部を通すことが可能な折り畳み状態と、
を有し、
前記貫通穴に前記他端部を通してから前記中間部を通すと前記帯部は前記貫通穴に隙間嵌合する、
結束具。
【手続補正２】
【補正対象書類名】明細書
【補正対象項目名】全文
【補正方法】変更
【補正の内容】
【発明の詳細な説明】
【技術分野】
【０００１】
本発明は、結束具に関する。
【背景技術】
【０００２】
結束具においては、特許文献１の実施例のように、長手方向の一端部の貫通穴内側に係止形状、中間部の帯状の平面部に複数の被係止形状が長手方向に並んだ被係止部が設けられ、被結束物に巻き付けて他端部を貫通穴に通して引っ張り、複数の被係止形状に順に係止形状を係止させることで、被結束物の外径に合わせて結束具の内径を調節できるアイデアが知られている。
【０００３】
また、結束具においては、特許文献２の実施例のように、長手方向の一端部の貫通穴の縁が係止形状であり、中間部の帯状の側部に複数の被係止形状が長手方向に並んだ被係止部が設けられ、被結束物に巻き付けて他端部を貫通穴に通して引っ張り、複数の被係止形状に順に係止形状を係止させることで、被結束物の外径に合わせて結束具の内径を調節できるアイデアが知られている。
【先行技術文献】
【特許文献】
【０００４】
【特許文献１】特許第２５１５４８４号公報
【特許文献２】特開平０９−１６５９１６号公報
【発明の概要】
【発明が解決しようとする課題】
【０００５】
結束具においては、被結束物に巻き付けるように結束具の長手方向の一端部の貫通穴に他端部を通してから他端部を指先で摘み引っ張って結束具を締め付けるが、このとき貫通穴を通るように細くされた他端部が摘みにくいことで被結束物を結束具で強く締め付けることが困難である。よって、ペンチ等の工具を用いて他端部を摘み引っ張るという煩雑な作業が必要となってしまう。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る結束具は、例えば図１及び２のように、
結束具１の長手方向の一端部２の貫通穴３に係止形状４と、
前記長手方向の中間部５の帯部１３に係止形状４に係止される被係止形状６（７）が前記長手方向に複数並んだ被係止部８と、
前記長手方向の他端部９に一体成形された輪状部１４の内側であり帯部１３の幅方向に貫通し深さが帯部１３の幅と同様である指掛穴１０と、
を備え、
指掛穴１０は、
指掛穴１０に指を掛けることが可能な図１のような広げた状態と、
前記広げた状態から指掛穴１０を帯部１３の厚み方向につぶして貫通穴３に他端部９を通すことが可能な図２左図のような折り畳み状態と、
を有し、
貫通穴３に他端部９を通してから中間部５を通すと帯部１３は貫通穴３に隙間嵌合する、結束具である。
【発明の効果】
【０００８】
以上のように本発明では、結束具１の長手方向の他端部９に大きく丈夫な指掛穴１０を備えても一端部２の貫通穴３に他端部９を素早く通すことが出来るので、工具等用いずとも被結束物を結束具１で素早く強く締め付けることが容易となる。加えて、図１のように初期状態で広げた状態の指掛穴１０を図２左図のように外力によって折り畳み状態にし、図２右図のように外力から解放したとき弾力性による復元力によって指を素早く指掛穴１０に掛けることが出来るような設計が容易となる。
【図面の簡単な説明】
【０００９】
【図１】第１実施形態の初期状態を第三角法で表した図
【図２】第１実施形態の結束操作を２段階で表した図
【発明を実施するための形態】
【００１０】
本発明の第１実施形態を図１及び２に基づいて説明する。
【００１１】
結束具１は耐屈曲性に優れた樹脂であるポリアミドの金型一体成形製である。長手方向の一端部２には帯部１３の幅よりも大きな頭部１５があり、頭部１５を帯部１３の厚み方向に貫通する貫通穴３は帯部１３が隙間嵌合するサイズであり内側には爪状の係止形状４があり、係止形状４は結束具１の長手方向の他端部９方向に弾性変形可能であり、均等ピッチで帯部１３の平面部に並んだ被係止形状６及び７等を順に係止形状４が係止し逆戻り不能であり帯部１３は弾性変形し輪状となる。また、係止形状４に係止解除の為の操作レバーを設けて逆戻り可能としても良いだろう。また、結束具１の長手方向の他端部９には帯部１３の厚みを半分にするような切込みを入れて厚み方向に上側１１と下側１２に広げたような輪状部１４が金型一体成形による初期状態で予め形成されており、輪状部１４の内側が指掛穴１０となっている。他端部９を一端部２の貫通穴３に通す際は指先で上側１１と下側１２を摘んで折り畳み、図２左図から右図という順序で通して行く。また、図２右図では係止形状４はまだ被係止部８を係止しておらず、弾力性で形状がほぼ復元した輪状部１４によって仮止めされた状態である。この状態から指掛穴１０に指を掛けて頭部１５から離れる方向に引っ張ることで被結束物を強く締め付けることが出来る。また、指掛穴１０の深さは帯部１３の幅と同じであり掛けた指に十分な面積で接触するので指に加わる圧力が比較的小さく快適な操作が可能である。
【００１２】
本発明のその他の実施形態を説明する。
【００１３】
第１実施形態の貫通穴３の内側に設けられた係止形状４と帯部１３平面部に設けられた被係止部８による係止構造の代わりに、特許文献２の実施例のように、貫通穴３の縁を係止形状とし帯部１３側部にノコギリ刃状の被係止部を設けて係止構造としても良いだろう。
【符号の説明】
【００１４】
１.                                                   結束具
２.                                                   一端部
３.                                                   貫通穴
４.                                                   係止形状
５.                                                   中間部
６,７.                                              被係止形状
８.                                                   被係止部
９.                                                   他端部
１０.                                               指掛穴
１１.                                               上側
１２.                                               下側
１３.                                               帯部
１４.                                               輪状部
１５.                                               頭部